(57)【要約】　　　（修正有）【課題】直接電気やお湯や水を必要とすることなく、肌に温冷交互の刺激を与える温冷美容器具を安価に提供する。【解決手段】上記目的を達成するため、本発明は、両側に取手を形成した袋状のカバー部上部に開閉可能な固着材を設け、カバー部内側の断熱板部で仕切られたポケット状の２つの収納部に保温剤を内包した温熱用袋部と保冷剤を内包した冷熱用袋部をそれぞれ収納する。該袋部をそれぞれ装着した温冷美容器具を、仰向けになって顔面上に乗せ、適宜、反転させることにより、あらかじめ冷やされ、または温められたそれぞれの袋部の温冷刺激が交互に伝わり、交互に行われる温冷刺激の反射による皮膚組織の伸縮運動作用により皮膚の活性化及び小じわ等の老化防止美容効果がある。また、同時にリラクゼーション効果もある。【選択図】　　図２
2004121447.tif 000002
【特許請求の範囲】
【請求項１】
両側に取手を形成した袋状のカバー部上部に開閉可能な固着材を設け、カバー部内側の断熱板部で仕切られたポケット状の２つの収納部に保温剤を内包した温熱用袋部と保冷剤を内包した冷熱用袋部をそれぞれ収納することを特徴とする温冷美容器具。
【請求項２】
請求項１の温冷美容器具において、前記断熱板部が柔軟素材で、折り目構造若しくは、キャタピラ構造等により屈曲し、体や顔の曲面に対し柔軟に密着することを特徴とする温冷美容器具。
【請求項３】
請求項２において、前記断熱板部は、発泡素材、中空等の断熱構造であることを特徴とする温冷美容器具。
【請求項４】
請求項１において、前記袋部は、鼻部分に対応する箇所に空気穴、内容物の偏り防止及び屈曲しやすい折り目となるよう部分的な袋内側接着を施した形状であることを特徴とする温冷美容器具。
【請求項５】
両側に取手を形成した袋状のカバー部上部に開閉可能な固着材を設け、カバー部内側の断熱板部で仕切られたポケット状の２つの収納部に保温剤を内包した温熱用袋部と保冷剤を内包した冷熱用袋部をそれぞれ収納することを特徴とする温冷美容器具において、前記袋部は、前記断熱板部を境に温熱用袋部と冷熱用袋部が対峙するよう配置し、適宜、反転して使用する事により温冷交互の刺激を与えることができることを特徴とする美容方法。
【発明の詳細な説明】
【０００１】
【発明の属する技術分野】
本発明は、体や顔の肌を温めたり冷やしたり交互に繰り返し刺激を与える温冷美容器具に関する。
【０００２】
【従来の技術】
例えば、入浴中、充分温めた肌を冷水で急に冷やすと、肌がキュッと引き締まり、小じわ等、肌の老化防止と美容効果があることが知られており、旧来から入浴中の若い肌を保つ美容法として知られている。その他、医療用で電気を使用し温熱と冷熱を発生させるという特開平２０００−２１３２５号公報に開示された温冷美容器があり、また、保冷剤もしくは保温剤を使用した実開昭６１−９６８２１号公報に開示された温冷マスクがある。
【０００３】
【発明が解決しようとする課題】
このような従来の技術では、水やお湯が必要であり、風呂を沸かさなければできない。また、特開平２０００−２１３２５号公報に開示された温冷美容器では、電気を必要とする複雑な温冷装置であるため、施術者が必要、高価であるという問題点がある。他、実開昭６１−９６８２１号公報に開示された温冷マスクでは、温冷といっても単に温熱若しくは冷熱のいずれか一方しか選択できないマスクであり、肌を温めて急激に冷やし、冷やして急激に温めるという温冷交互の刺激を繰り返し与えることができず、温冷刺激の反射による皮膚組織の伸縮運動作用は得られない。
【０００４】
本発明は、風呂を沸かす手間や、お湯や水、更には直接電気も必要とすることなく、手軽な温冷美容器具を安価に提供することを目的とする。
【０００５】
【課題を解決するための手段】
上記目的を達成するため、本発明は、両側に取手を形成した袋状のカバー部上部に開閉可能な固着材を設け、カバー部内側の断熱板部で仕切られたポケット状の２つの収納部に保温剤を内包した温熱用袋部と保冷剤を内包した冷熱用袋部をそれぞれ収納することを特徴とする。
【０００６】
前記断熱板部は柔軟素材で、折り目構造若しくは、キャタピラ構造等により屈曲し、体や顔の曲面に対し柔軟に密着することを特徴とする。
【０００７】
前記断熱板部は発泡素材、中空等の断熱構造であることを特徴とする。
【０００８】
前記袋部は、内包する保温剤または保冷剤の偏り防止及び曲げやすい折り目構造にするため適宜縦軸方向に部分的な袋内側接着を施し、鼻部分に対面する箇所に空気穴を設けることにより顔面等の曲面及び鼻の凹凸に柔軟にフィットさせることができる。
【０００９】
両側に取手を形成した袋状のカバー部上部に開閉可能な固着材を設け、カバー部内側の断熱板部で仕切られたポケット状の２つの収納部に保温剤を内包した温熱用袋部と保冷剤を内包した冷熱用袋部をそれぞれ収納することを特徴とする温冷美容器具において、前記袋部は、前記断熱板部を境に温熱用袋部と冷熱用袋部が対峙するよう配置し、適宜、反転して使用する事により温冷交互の刺激を与えることができることを特徴とする。
【００１０】
【作用】
この温冷美容器具において、楕円形のカバー部の内側中央を断熱板部によって仕切りそれによって生じる２つのポケット状の空間、袋収納部にジェル状の保冷剤及び保温剤、若しくは両用のものを内包する楕円形の袋部をそれぞれ収納した温冷美容器具は、カバー両側に設けられた取手を両手で把持し、仰向けになって顔面上に乗せ、適宜、反転させることによりあらかじめ冷やされ、または温められたそれぞれの袋部の温冷刺激が交互に伝わり、交互に行われる温冷刺激の反射による皮膚組織の伸縮運動作用により皮膚の活性化及び小じわ等の老化防止美容効果がある。また、同時にリラクゼーション効果もある。
【００１１】
【発明の実施の形態】
図１（Ａ）は本発明による温冷美容器具の正面図、図１（Ｂ）はカバー開閉口から袋部を収納することを示す正面図、図２（Ａ）は本発明による温冷美容器具の全体構成を示す部分断面斜視図、図２（Ｂ）は、断熱板部と袋部との配置関係を示す断面図、図３（Ａ）は温熱、冷熱用袋部の正面図、図３（Ｂ）は温熱、冷熱用袋部の斜視図、図４は温冷美容器具の一形態を顔に使用した状態で示す実施斜視図である。
【００１２】
本実施の形態の温冷美容器具は、可撓性を有する布等で作成された楕円形のカバー部１の内側中央を柔軟で且つ断熱素材である発泡ポリエチレン等の断熱板部５によって仕切る事により２つのポッケット状の袋収納部７ａ、７ｂを設け、該袋収納部７ａ、７ｂにジェル状の保温剤を内包したポリエチレン等の温熱用袋部６ａ及びジェル状の保冷剤を内包したポリエチレン等の冷熱用袋部６ｂをそれぞれ収納し、固定手段としてカバー開閉口２にファスナー等の固着財３を取り付け、さらにカバー部１の両側に取手部４を取り付けたものである。
【００１３】
前記カバー部１の材質としては、内側に収納する袋部６を適度に締め付け固定しつつ、使用時顔等の曲面に柔軟にフィットさせることができるように可撓性のある布等を用いる。
【００１４】
カバー部１は通気性のよい素材を用い、また、鼻に対面する箇所のカバー部１においても図２に示す袋部６の空気穴８と同様の空気穴を設けることもできる。
【００１５】
前記カバー開閉口２には、図１（Ａ）、（Ｂ）に示すとおり中に納めた袋部６が脱落しないよう固定手段としてファスナー等の固着材３を取り付け、また、マジックテープ（登録商標）、ホック、ボタン等の固着材も用いることができる。
【００１６】
前記取手部４は、発泡ポリエチレン等の芯を布等で包み取手状に形成し、カバー部１の両側に縫合して形成するか、プラスチック等の取手を取り付けることができる。
【００１７】
前記断熱板部５は、柔軟性を有する断熱性素材を用い、図２（Ａ）に示すとおり縦軸方向に折り目５ａを適宜設け柔軟に屈曲する折り目構造に形成する。
【００１８】
断熱板部５は柔軟に屈曲するキャタピラ構造に形成することもできる。
【００１９】
断熱板部５は発泡ポリエチレン等の発泡素材を断熱素材として用い、また、他の断熱素材をアルミホイルと複合して用いること、また、中空等の断熱構造を用いることができる。
【００２０】
断熱板部５の中央に図２（Ａ）に示すとおり通気孔５ｂを設ける。
【００２１】
前記袋部６は、図１（Ｂ）に示すとおり、温熱用袋部６ａと冷熱用袋部６ｂの２袋で構成されており、カバー部１内側の温熱用袋収納部７ａ、冷熱用袋収納部７ｂにそれぞれ収納する。
【００２２】
温熱用袋部６ａと冷熱用袋部６ｂは、必ずしも温熱用袋収納部７ａ、冷熱用袋収納部７ｂに区別して収納しなくてはならないというものでは無く、図２（Ｂ）に示すとおり断熱板部５を挟んで温熱用袋部６ａと冷熱用袋部６ｂが対峙するよう収納されれば足り、それぞれどちらに収納しても問題はない。
【００２３】
袋部６の形状は、図３（Ａ）、（Ｂ）に示すとおり扁平で顔面を覆うための楕円等の形をなし、鼻部分に対面する箇所に鼻空気穴８を形成し、さらに内包する保温剤または保冷剤の偏り防止及び曲げやすい折り目構造にするため適宜縦軸方向に部分的なヒートシール加工または袋内側接着９を施した形状に形成する。
【００２４】
前記袋部６は、鼻空気穴に限らず、口部分に対面する箇所にあっても空気穴を設けることができる。
【００２５】
前記袋部６は、温熱用袋部６ａを電子レンジ等で加熱できる保温剤を内包し、冷熱用袋部６ｂには、冷蔵庫で冷却できる保冷剤を内包することにより、熱源及び冷却源とする。
【００２６】
前記袋部６は、本実施の形態において取手を把持し温冷美容器具の表裏を反転する手段により温冷交互の刺激を与えることができるようにするために図２（Ｂ）
に示すとおり前記断熱板部５を境に温熱用袋部６ａと冷熱用袋部６ｂとを対峙して配置する。
【００２７】
前記袋部６の内容物は、保冷剤及び保温剤をそれぞれ個別に内包するか、若しくは、保温保冷両用の　水、多価アルコール、高分子吸水ポリマー等を主成分とする素材を内包することができる。
【００２８】
前記袋部６の素材は温熱冷熱に耐性のあるナイロンを複合したポリエチレン等の材質を選定することができる。
【００２９】
前記袋部６は、取り外してそれぞれ電子レンジで加熱、冷蔵庫で冷却して繰り返し使用することができる。
【００３０】
温冷美容器具は布、発泡ポリエチレン等の柔軟な素材で作成することにより袋部６を取り外した状態で洗濯することができる。
【００３１】
温冷美容器具の使用箇所は、顔に限らず、腹部、足等全身に使用することができる。
【００３２】
温冷美容器具は、顔に限らず、腹部、足等全身に使用し、自立神経のバランスを整えるリラクゼーションを目的としても使用できる。
【００３３】
前記温熱用袋部６ａをあらかじめ、電子レンジで加熱し、前記冷熱用袋部６ｂをあらかじめ、冷蔵庫で冷やしておき、図１（Ｂ）、図２（Ａ）のように該袋部６
ａ、６ｂをそれぞれ収納した温冷美容器具は、カバー両側に設けられた取手を両手で把持し、図３に示すとおり仰向けになって顔面上に乗せ、適宜、反転させることにより、あらかじめ冷やされ、または温められたそれぞれの袋部６の温冷刺激が交互に伝わり、交互に行われる温冷刺激の反射による皮膚組織の伸縮運動作用により皮膚の活性化及び小じわ等の老化防止美容効果がある。また、同時にリラクゼーション効果もある。
【００３４】
【発明の効果】
請求項１によれば、本発明は、風呂を沸かす手間や、お湯や水、更には直接電気も必要とすることなく、家庭用の電子レンジ及び冷蔵庫を利用し、手軽に温熱冷熱の刺激を交互に与えることのできる温冷美容器具を安価に提供することができる。
【００３５】
請求項２によれば、断熱板部を柔軟素材、キャタピラ構造若しくは、折り目構造等にすることにより、柔軟に屈曲して、体や顔の形に対し密着し、袋部の温熱、または冷熱を顔や体に効率よく伝導させる効果がある。
【００３６】
請求項３によれば、断熱板部が断熱素材、または発泡素材、中空等の断熱構造にすることにより温熱用袋部の温熱と冷熱用袋部の冷熱が相殺し、効果が減衰することを防止する効果がある。
【００３７】
請求項４によれば、前記袋部の鼻に対応する箇所に空気穴、偏り防止及び屈曲しやすい折り目となるよう部分的な袋内側接着を施した形状にすることにより使用時息苦しくなく、顔面、鼻の凹凸に柔軟にフィットして均等に温熱、冷熱を伝導させる効果がある。
【００３８】
請求項５によれば、袋部は、断熱板部を境に温熱用袋部と冷熱用袋部が対峙するよう配置すること、及び適宜、取手を把持し温冷美容器具を反転して使用する手段を用いることにより、使用箇所に温熱、冷熱交互の刺激を与えることができる。
【図面の簡単な説明】
【図１】（Ａ）は本発明による温冷美容器具の正面図、（Ｂ）はカバー開閉口から袋部を収納することを示す正面図である。
【図２】（Ａ）は本発明による温冷美容器具の全体構成を示す部分断面斜視図、（Ｂ）は、断熱板部と袋部との配置関係を示す断面図である。
【図３】（Ａ）は温熱、冷熱用袋部の正面図、（Ｂ）は温熱、冷熱用袋部の斜視図である。
【図４】温冷美容器具の一形態を顔に使用した状態で示す実施斜視図である。
【符号の説明】
１カバー部、２カバー開閉口、３固着材、４取手部、５断熱板部、５ａ折り目、５ｂ通気孔、６袋部、６ａ温熱用袋部、６ｂ冷熱用袋部、７袋収納部、７ａ温熱用袋収納部、７ｂ冷熱用袋収納部、８鼻空気穴、９袋内側接着
【図１】
2004121447.tif 000003
【図２】
2004121447.tif 000004
【図３】
2004121447.tif 000005
【図４】
2004121447.tif 000006